(57)【特許請求の範囲】
【請求項１】
移動可能なコンテナ内に男子トイレと女子トイレと浄化槽を内蔵し、
前記浄化槽は男子トイレと女子トイレの間に２枚の間仕切り壁で区切られた空間内に設けられ、浄化槽と両間仕切り壁の間には乾いた砂や発泡ビーズ等の充填物が充填されており、浄化槽内部の水圧を充填している乾いた砂や発泡ビーズ等の充填物の外向きに掛かる力を均衡させて両間仕切り壁を正しく屹立保持するための引張材を両間仕切り壁の上下に備えたことを特徴とするトイレ用コンテナ。
【請求項２】
請求項１に記載のトイレ用コンテナにおいて、前記コンテナの二重床内に設けられる排水管を通ってコンテナ外部に排出される便器や洗面器具からの排水を、コンテナ外部に設置する分離濾過装置によって汚水と汚物を分離し、分離濾過装置内のポンプで汚水のみをコンテナ内部の浄化槽に圧送することを特徴とするトイレ用コンテナ。
【請求項３】
請求項２記載のトイレ用コンテナにおいて、水切り部材によって直接手で触れることなく汚水と汚物を分離・濾過し、コンテナ内部の浄化槽に汚水のみを圧送する分離濾過装置を備えることを特徴とするトイレ用コンテナ。
【請求項４】
請求項３記載のトイレ用コンテナにおいて、前記分離濾過装置において分離させた汚物を、自然乾燥させた後に、回転させながら火力で灰にする回転式汚物焼却炉を備えることを特徴とするトイレ用コンテナ。
【発明の詳細な説明】
【技術分野】
【０００１】
この発明は、災害時の避難所や工事現場やイベント会場等で使用するトイレで、運搬・移動・設置が容易に行えるコンテナ内に浄化槽設備を内蔵したもの及び汚水と汚物を分離する濾過装置及び汚物を焼却する装置に関する。
【背景技術】
【０００２】
近年頻繁に発生している地震や津波や内戦などの災害や争乱時の避難者にとって、トイレは大きな問題である。想定外の災害の場合、下水道などの社会インフラ設備も甚大なダメージを受けており、使用できないことが多い。特に、トイレは下水道が機能していない場合は自然放流することができない。その時は、浄化槽を設置して、汚水や汚物を浄化槽にて処理を行うことになる。避難所では多くの人々が共同で生活するため、大型の浄化槽が必要になるが、大型の浄化槽は受注生産で製作に3ヶ月程度かかることや高額なため、緊急時には調達が困難である。
従来のトイレ用コンテナは、コンテナ内部に便器や手洗い等の衛生設備機器を設置し、外部から水道や電気を供給しながら、排水は外部に排出するものであった。
【先行技術文献】
【特許文献】
【０００３】
【特許文献１】特開2008−289969号公報
【特許文献２】特開平11−90465号公報
【特許文献３】特開平11−350759号公報
【発明の概要】
【発明が解決しようとする課題】
【０００４】
しかしながら、以上の技術によれば、排水は下水道に接続して放流するか、屋外地中に設けられた浄化槽か、別のコンテナに内包する浄化槽に接続して処理する必要があった。その場合、トイレや洗面等の設備コンテナと浄化槽コンテナを個別に必要とするため、規模の大きなシステム構成となっている。避難所では、多くの人々が使用するため、浄化槽には大きな処理能力が求められるが、大型の浄化槽は受注生産で3ヶ月ほど掛かることや高額であることから、災害等の緊急時には早期に調達することが難しい。
【０００５】
そこで、この発明は、同一のコンテナ内に早期調達が可能な小型の浄化槽を内包すると共に、浄化槽の処理能力を向上させるために、汚物と汚水を分離する濾過装置と分離した汚物を焼却する装置を組み合わせたトイレ用コンテナを提供することを課題とする。
【課題を解決するための手段】
【０００６】
以上の課題を解決するために、請求項１記載の発明は、移動可能なコンテナ内に男子トイレと女子トイレと浄化槽を内蔵し、
前記浄化槽は男子トイレと女子トイレの間に２枚の間仕切り壁で区切られた空間内に設けられ、浄化槽と両間仕切り壁の間には乾いた砂や発泡ビーズ等の充填物が充填されており、浄化槽内部の水圧を充填している砂の外向きに掛かる力を均衡させて両間仕切り壁を正しく屹立保持するための引張材を両間仕切り壁の上下に備えたことを特徴とするトイレ用コンテナ。
【０００８】
また、請求項２記載の発明は、請求項１記載のトイレ用コンテナにおいて、前記コンテナの二重床内に設けられる排水管を通ってコンテナ外部に排出される便器や洗面器具からの排水を、コンテナ外部に設置する分離濾過装置によって汚水と汚物を分離し、分離濾過装置内のポンプで汚水のみをコンテナ内部の浄化槽に圧送することを特徴とする。
【０００９】
また、請求項３記載の発明は、請求項２記載のトイレ用コンテナにおいて、水切り部材によって直接手で触れることなく汚水と汚物を分離・濾過し、コンテナ内部の浄化槽に汚水のみを圧送する分離濾過装置を備えることを特徴とする。
【００１０】
また、請求項４記載の発明は、請求項３記載のトイレ用コンテナにおいて、前記分離濾過装置において分離させた汚物を、自然乾燥させた後に、回転させながら火力で灰にする回転式汚物焼却炉を備えることを特徴とする。
【発明の効果】
【００１１】
請求項１記載の発明によれば、外部に下水道や浄化槽がない場所においても、コンパクトに男子トイレと女子トイレと浄化槽を設置し、汚水を浄化した後は、外部に放流することができる。
また、両間仕切り壁と浄化槽との隙間には乾いた砂や発泡ビーズ等の充填物が充填されることで、輸送時の衝撃に対して浄化槽を保護すると共に、浄化槽内の水圧に対応する役目を担うことができる。
また、引張材を両間仕切り壁の上下に備えたことで、浄化槽内部の水圧を充填している充填物の外向きに掛かる力を均衡させて両間仕切り壁を正しく屹立保持することができる。
【００１２】
また、請求項２または請求項３記載の発明によれば、汚水と汚物を分離することにより、災害等の緊急時に浄化槽の定格処理能力以上にトイレを使用することができ、より多くの避難者がトイレを利用することが可能になる。
【００１３】
また、請求項４記載の発明によれば、回転式汚物焼却炉を備えることで、衛生的に汚物の処理を行うことができる。
【図面の簡単な説明】
【００１４】
【図１】本発明実施例１のトイレ用コンテナの平面図である。
【図２】本発明実施例１のトイレ用コンテナの側面図である。
【図３】本発明実施例１のトイレ用コンテナの断面図である。
【図４】本発明実施例１のトイレ用コンテナの二重床の範囲を示す平面図である。
【図５】本発明実施例１のトイレ用コンテナと汚水分離濾過装置の関係図である。
【図６】本発明実施例１のトイレ用コンテナと汚水分離濾過装置の関係図である。
【図７】本発明実施例１の汚水分離濾過装置の平面図である。
【図８】本発明実施例１の汚水分離濾過装置の断面図である。
【図９】本発明実施例１の回転式汚物焼却炉の平面図である。
【図１０】本発明実施例１の回転式汚物焼却炉の側面図である。
【図１１】本発明実施例１の回転式汚物焼却炉の内部に装着される回転カゴ部の縦断面図である。
【図１２】本発明実施例１の回転式汚物焼却炉における汚物の焼却のメカニズムの説明図である。
【発明を実施するための形態】
【００１５】
以下図面を参照しながら、本発明の実施の形態について説明する。
【実施例１】
【００１６】
図1に示すようにトイレ用コンテナAは、間仕切り壁9により3つの区画が形成されており、中央区画に小型の浄化槽7が設置され、左右に男子トイレ及び女子トイレが配置されている。
【００１７】
中央区画の浄化槽7は取り外しが容易にできる壁28から搬入し、間仕切り壁9と浄化槽7との隙間には乾いた砂8が充填されている。乾いた砂8は輸送時の衝撃に対して浄化槽を保護すると共に、浄化槽内の水圧に対応する役目を担っている。
【００１８】
間仕切り壁9は浄化槽7と男女トイレスペースを区分すると共に、乾いた砂8が外部に流出しないようにする機能を果たしている。尚、間仕切り壁9の内側には防水層30が設けられている。
【００１９】
間仕切り壁9の内部には補強柱27が内設されていると共に、上部と下部には引張材10が設置されている。引張材10は、間仕切り壁9に掛かる乾いた砂8の応力を均衡させる機能があり、間仕切り壁を正しく屹立させることができる。
【００２０】
男女トイレスペースには便器1及び4、洗面器2及び5及び点検口11が設置されている。点検口11を開けて浄化槽の区画内に入り、浄化槽7のメンテナンスや薬剤投入ができる。
【００２１】
便器1及び洗面器2からの排水は、床下の排水管を通って合流し、排水管3より外部に導かれる。
【００２２】
同様に便器4及び洗面器5からの排水は、床下の排水管を通って合流し、排水管3より外部に導かれる。
【００２３】
排水管3から排出された汚水と汚物はコンテナ外部の汚水分離濾過装置Ｂに流入する。
【００２４】
汚水分離濾過装置Ｂの内部には濾過器13、水切り棚15、圧送ポンプ16が設置されている。
【００２５】
排水管3から排出された汚水と汚物は1つに合流した後、まず濾過器13に流入する。濾過器13の底部は穴（図示せず）が開いており、内部にはフィルター14が装着されている。
【００２６】
濾過器13に流入した汚水と汚物は、フィルター14及び濾過器13の底部の穴及び水切り棚15によって汚水と汚物が分離濾過される。汚水は濾過器13、フィルター14、水切り棚15を通過して汚水分離濾過装置Ｂの底部に貯留される。
【００２７】
このような構造とすることで、汚物と汚水を、手を触れることなく分離することができる。
【００２８】
濾過器13内に汚物が一定量堆積した後は、濾過器13を横にずらし、フィルター14を汚物ごと上部に吊り上げ、フィルターごと濾過器13から外し、新しいフィルター14を濾過器13に装着する。
【００２９】
汚水分離濾過装置Ｂの底部に貯留された汚水は、圧送ポンプ16及びホース33を介して、流入口12を通って浄化槽7に導かれる。
【００３０】
浄化槽7で浄化された水は、排出口17及び放流管31を通って外に排出され、外部の排水溝等に自然放流される。
【００３１】
災害時の特異な状況下においてトイレの利用者が多く、浄化槽7で十分な浄化ができず、放流する水の成分が保健衛生上の規定値以上になった場合は、外部に別途、貯留槽を加えてつなぐか、臨時の貯留池等に一時保留して、そこで薬剤等で殺菌した後、放流するなど、状況に応じて、機動的に対応することが望ましい。
【００３２】
濾過器13から外に出した汚物は、水を切り自然乾燥させた後、回転式汚物焼却炉Ｃで焼却する。
【００３３】
焼却前に自然乾燥させることにより、汚物の焼却が促進されると共に、焼却時の臭気を軽減することができる。
【００３４】
回転式汚物焼却炉には、焼却炉の取手34、排煙スペース35、フタ36、フタガイド37、フタの取手38、回転カゴ22、燃料投入口兼焼却灰取り出し口40、敷きレンガ41、燃料トレイ26、乾いた砂42が設置されている。
【００３５】
自然乾燥処理が十分に終わった汚物は、回転式汚物焼却炉Ｃ内に装備されている回転カゴ22に投入し、炭の上に薪を置き焼却する。尚、燃料は薪に限るものではなく、炭やコークス、廃材など多種多様な燃料を使用しても良い。
【００３６】
回転カゴ22は、外部に目の細かい網18とカゴフタ部19、内部にカゴ枠20、中心を貫通して両側に鉤状に曲がり取手になる回転棒20を備えている。
【００３７】
自然乾燥処理が終わった汚物は、カゴフタ部19をあけてカゴ内に投入され、両側に設けられた回転棒20の取手を使って、カゴを回転させながら焼却される。
【００３８】
このような構造としたため、汚物は回転しながら直射熱44とフタ36によってもたらされる輻射熱45によって焼却されると共に、カゴ内に突出して設けられているカゴ枠20によって細かく破砕されていく。
【００３９】
但し、回転カゴ22の外周には目の細かい網18が装着されているため、回転カゴ22の外部に焼却・破砕された汚物はほとんど流出しない。
【００４０】
焼却が終わり、灰になった汚物は、回転カゴ22を回転式汚物焼却炉Ｃから取り外した後、カゴフタ部19をあけて、取り出し処分する。
【００４１】
このように、トイレ用コンテナＡと汚水分離装置Ｂと回転式汚物焼却炉Ｃを組み合わせることで、外部に有効に機能していない下水道や浄化設備がない場所でもトイレを設置することができるので、災害時に機動的に設置することが可能になると共に、緊急時は浄化槽の定格処理能力以上の利用に於いても耐えることができ、より多くの避難者の方々に利用していただくことが可能にある。
【００４２】
緊急時以外でトイレ用コンテナを使う場合、例えばイベントや工事現場等で利用する場合は、分離濾過装置Ｂで汚水と汚物を分離濾過せず、汚水汚物共に浄化槽に圧送して処理行うことが望ましい。また、使用人数に応じて、別途、浄化槽を追加することが可能である。
【００４３】
なお、上記トイレ用コンテナでは中央に浄化槽7があり、その左右に男女トイレを配置しているが、浄化槽7の位置や男女トイレの配置はこれに固定されるものではない。
【００４４】
なお、上記トイレ用コンテナでは浄化槽7と間仕切り壁9との隙間に乾いた砂が充填してあるが、乾燥した軽い素材、例えば発泡ビーズ等の化学製品でもよい。
【００４５】
また、分離濾過装置Ｂを屋外に設置しているが、コンテナのサイズやトイレスペース、浄化槽の大きさ等によって、コンテナ内部に設置する構造としてもよい。
【００４６】
本実施例１のトイレ用コンテナ及び汚水分離濾過装置及び回転式汚物焼却炉を使用することで、汚水は同一コンテナ内に内蔵する小型の浄化槽で浄化し、その後、排水を外部に放流することにより、屋外に有効な下水道がなくてもトイレを設置することができる。また、汚物は回転式汚物焼却炉を用いて灰にするため、衛生を保つことができる。このように汚水と汚物を分離濾過して処理することで、災害時などの特異な状況下において浄化槽の定格処理能力の5〜10倍の利用が可能になり、より多くの人々がトイレを使用することができる。
【符号の説明】
【００４７】
1    便器
2    洗面器
3    排水管
4    便器
5    洗面器
6    流入管
7    浄化槽
8    乾いた砂
9    間仕切り壁
10    引張材
11    点検口
12    流入口
13    濾過器ナ
14    フィルター
15    水切り棚
16    圧送ポンプ
17    排出口
18    目の細かい網
19    カゴフタ
20    カゴ枠
21    回転棒
22    回転カゴ
23    遮熱塗料
24    断熱材
25    二重床
26    燃料トレイ
27    補強柱
28    取り外し壁
29    基礎ブロック
30    防水層
31    放流管
32    汚水分離濾過装置の取手
33    ホース
34    回転式汚物焼却炉の取手
35    排煙スペース
36    フタ
37    フタガイド
38    フタの取手
39    補強棒
40    燃料投入口兼焼却灰取り出し口
41    敷きレンガ
42    乾いた砂
43    燃料
44    直射熱
45    輻射熱
Ａ    トイレ用コンテナ
Ｂ    汚水分離濾過装置
Ｃ    回転式汚物焼却
【図１】
0005922916.tif 000002
【図２】
0005922916.tif 000003
【図３】
0005922916.tif 000004
【図４】
0005922916.tif 000005
【図５】
0005922916.tif 000006
【図６】
0005922916.tif 000007
【図７】
0005922916.tif 000008
【図８】
0005922916.tif 000009
【図９】
0005922916.tif 000010
【図１０】
0005922916.tif 000011
【図１１】
0005922916.tif 000012
【図１２】
0005922916.tif 000013